(57)【特許請求の範囲】
【請求項１】
記録データに基づいて記録ヘッドからインクを記録媒体に吐出することにより、前記記録媒体の一方の面と他方の面に順次記録を行う両面記録モードを実行可能なインクジェット記録装置において、
前記両面記録モードが指定された場合に、前記記録媒体の前記一方の面と前記他方の面とで記録箇所が重なる位置に対応した前記一方の面と前記他方の面の記録データを検出する検出手段と、
前記検出手段により検出された記録データの少なくとも一部を間引くための間引き手段と、
前記間引き手段により間引かれた記録データに基づいて前記両面記録モードを実行するための手段と、
を備えることを特徴とするインクジェット記録装置。
【請求項２】
前記間引き手段は、前記検出手段により検出された記録データのうち、前記一方の面あるいは前記他方の面のいずれか一方に対応した記録データのみを間引くことを特徴とする請求項１に記載のインクジェット記録装置。
【請求項３】
記録データに基づいて記録ヘッドからインクを吐出して記録媒体に記録を行うインクジェット記録方法において、
前記記録媒体の一方の面に対して記録を行った後に他方の面に対して記録を行う両面記録モードを指定する工程と、
前記両面記録モードが指定された場合に、前記記録媒体の前記一方の面と前記他方の面とで記録箇所が重なる位置に対応した前記一方の面と前記他方の面の記録データを検出する検出工程と、
前記検出工程において検出された記録データの少なくとも一部を間引くための間引き工程と、
前記間引き工程において間引かれた記録データに基づいて前記両面記録モードを実行する工程と、
を有することを特徴とするインクジェット記録方法。
【請求項４】
前記間引き工程では、前記検出工程において検出された記録データのうち、前記一方の面あるいは前記他方の面のいずれか一方に対応した記録データのみを間引くことを特徴とする請求項３に記載のインクジェット記録方法。
【発明の詳細な説明】
【０００１】
【発明の属する技術分野】
本発明は、事務機器一般に用いられるプリンタ等の記録装置に関し、特に所望される記録データに基づいてインクを吐出して記録を行なうと共に両面記録機能を有するインクジェット記録装置に関する。
【０００２】
【従来の技術】
所望される文字や画像等の記録情報をシートやフィルム等記録媒体に記録を行なう記録装置として良く知られたものにプリンタがある。また、記録情報の作成や編集を行なうワードプロセッサ、パーソナルコンピュータ等装置にあっては装置の性能の向上が目覚ましく、更にはスキャナ、ビデオキャプチャー、ＣＤＲＯＭドライブやデジタルカメラ等の情報入力装置の多様化が進んでいる。このような情報処理装置や情報入力装置の状況を背景にプリンタ等記録装置の使用環境も多様化し、例えば一つの記録情報（原稿）から複数部の記録を行なうなど従来の複写機としてプリンタが用いられる場合もあり、今後のプリンタなどの記録装置による記録部数はさらに増加する傾向にある。
【０００３】
記録装置にはよく知られているように紙などシート等の記録媒体を搬送すると共に搬送方向と直角な方向に往復移動するキャリッジ等の可動部に記録ヘッドを搭載したシリアルタイプや、記録媒体の幅に応じた長さの記録ヘッドを有したラインタイプの装置がある。また記録方式としてはワイヤードット方式、感熱方式、熱転写方式、インクジェット方式、電子写真方式等がある。このうちインクジェット方式はランニングコストが安く、ノンインパクト方式であるために騒音が少なく、特に多色のカラーインクを使用してカラー記録を容易に実現できる等の理由からインクジェット方式の記録装置の普及がめざましい。
【０００４】
一方、近年では省資源化のため紙等記録媒体の資源を有効に活用する観点から、記録装置においてはシート等の記録媒体の両面に記録を行なう事が重要視されるようになっており、記録装置に於いて記録媒体の両面に記録を行なう構成については様々な構成が提案されている。
【０００５】
【発明が解決しようとする課題】
しかしながらインクジェット方式においては、記録ヘッドより液体インクをシート等の記録媒体に吐出して所望の記録を行なうため、両面記録に際して、以下の問題が生じてしまう。即ち、シート等の記録媒体の性質やインクの性質、更には記録された画像のｄｕｔｙ等によっては記録された面の裏面側へインクが浸透等してしまう。この裏面側へ記録を行なう場合に、記録結果において例えば見にくい、あるいはカラー記録の場合には一方の記録結果の影響をうけて他方の記録結果の色調等が所望される結果より大きくずれてしまう等といったように記録品位を低下させてしまう事がある。
【０００６】
図２１に、記録ヘッドより吐出されたインクがシートなどの記録媒体へ付着浸透したため、両面記録に際してのインクのにじむ様子を模式的に示した。一方の表面に向けて吐出されたインク滴は、記録媒体の表面に付着すると表面上に拡散すると共に記録媒体のバルク方向へも浸透し定着する。その後、両面記録に際して他方の表面にインク滴が吐出され記録媒体のバルク方向へ浸透すると、場合によって一方の面にすでに浸透しているインクと新たに浸透したインクとがまじり合う場合があり、その結果記録品位の低下が招かれる。
【０００７】
このような課題を解決するため両面記録を行なう場合には、記録濃度を片面記録の場合に比較して低下させる方法が本出願人によって提案されている（特開平０６−１３４９８２号公報、特開平０７−３１４７３４号公報参照）。しかしながら、特開平０６−１３４９８２号公報や特開平０７−３１４７３４号公報にて開示されている方法は、両面記録の際に単に記録濃度を低下させる事を示しており、記録濃度を低下させる対象となる記録データについては詳細に示されていない。このため、記録される記録データの種類によっては却って記録品位が低下してしまう場合があった。
【０００８】
そこで本発明は、上述したような従来の技術が有する課題に鑑みてなされたものであり、両面記録において、良好な記録結果を得ることができるインクジェット記録装置を提供する事を目的とする。
【０００９】
【課題を解決するための手段】
上記目的を達成するための本発明は、記録データに基づいて記録ヘッドからインクを記録媒体に吐出することにより、前記記録媒体の一方の面と他方の面に順次記録を行う両面記録モードを実行可能なインクジェット記録装置において、前記両面記録モードが指定された場合に、前記記録媒体の前記一方の面と前記他方の面とで記録箇所が重なる位置に対応した前記一方の面と前記他方の面の記録データを検出する検出手段と、前記検出手段により検出された記録データの少なくとも一部を間引くための間引き手段と、前記間引き手段により間引かれた記録データに基づいて前記両面記録モードを実行するための手段と、を備えることを特徴とする。
また、本発明は、記録データに基づいて記録ヘッドからインクを吐出して記録媒体に記録を行うインクジェット記録方法において、前記記録媒体の一方の面に対して記録を行った後に他方の面に対して記録を行う両面記録モードを指定する工程と、前記両面記録モードが指定された場合に、前記記録媒体の前記一方の面と前記他方の面とで記録箇所が重なる位置に対応した前記一方の面と前記他方の面の記録データを検出する検出工程と、前記検出工程において検出された記録データの少なくとも一部を間引くための間引き工程と、前記間引き工程において間引かれた記録データに基づいて前記両面記録モードを実行する工程と、を有することを特徴とする。
【００１０】
【発明の実施の形態】
（実施例１）
以下図面を参照して本発明の一実施例を説明する。
【００１１】
まず本例を適用した記録装置の構成について説明する。尚本例ではシリアル式のインクジェット記録装置を例に挙げ説明する。
【００１２】
図１は本発明に係るインクジェット記録装置の概略構成の模式断面図である。図１に示すように、本実施例の記録装置は記録手段である記録ヘッド１を有しており、本実施例ではインクを吐出して記録するインクジェット記録方式を採用している。すなわち、この記録ヘッドは液体吐出口（オリフィス）、液路及びこの液路の一部に設けられるエネルギー作用部、該作用部にある液体に作用させる液滴形成エネルギーを発生するエネルギー発生手段例えば電気熱変換体であるヒータ等を備えている。
【００１３】
本実施例は一例として黒単色の記録を行なうインクジェット記録方式の記録装置を例示するが、４色それぞれの記録ヘッドを有するインクジェット記録方式のカラー記録装置にも応用できることはもちろんである。
【００１４】
記録ヘッド１はキャリッジ２に着脱自在に保持される。このキャリッジ２は、シートＳの搬送方向に対して交差する方向（実施例では直交する方向：主走査方向）に架設されたリードスクリュー３ａ及び円柱状のキャリッジ軸３ｂに摺動自在に支持されている。前記リードスクリュー３ａは螺旋状溝（図示せず）を有しており、前記キャリッジ２の一部と係合している。従って、不図示の駆動手段を回転駆動することによって前記リードスクリュー３ａを回転駆動し、前記記録ヘッド１を搭載したキャリッジ２がキャリッジ軸３ｂに沿って主走査方向に往復移動する。
【００１５】
記録シートＳを支持する支持部材である給送スタッカ５の上方には側面半月状の給送ローラ４が配置されており、給送スタッカ５上の記録シートＳを給送動作時にピックアップして給送する。前記給送スタッカ５には記録シートＳを積載する圧板５ａが設けられており、この圧板５ａは裏面側より圧板バネ５ｂによって上方に付勢されており、給送ローラ４が回転したときに最上部の記録シートＳに当接するように構成されている。なお、本実施例では複数の記録シートＳを重ねて載置する給送スタッカ５を用いたが、これに代えて手差しトレーのような一枚の記録シートＳを支持する部材を用いることができる。
【００１６】
駆動手段によって矢印方向に正逆回転駆動する搬送ローラ６が前記給送スタッカ５上方に配置され、記録シートＳを保持すると共に副走査方向（前記主走査方向に直交する方向）に搬送するものである。７ａ，７ｂ，７ｃは従動ローラであって、前記搬送ローラ６に記録シートを圧接して搬送力を発生するものである。
【００１７】
記録ヘッド１に対向する位置に、記録シートに印字記録を行なう位置（記録部：シート処理部）を確定するペーパーガイド（プラテン板）８が配置され、記録ヘッド１とこのペーパーガイド面の間には記録シートＳを通過させる僅少な隙間が形成されている。
【００１８】
記録ヘッド１の上方には、不図示の駆動手段によって矢印方向に正逆回転駆動する排出ローラ９を配置しており、この排出ローラ９は記録のなされた記録シートを排出搬送する。この排出ローラ９に隣接して従動ローラ１０を配置しており、両者は互いに圧接して、この間に記録シートＳを挟んで搬送する。前記従動ローラ１０は圧接バネ１０ｂにより付勢される支持部材１０ａに回転可能に支持され、前記排出ローラ９に圧接されている。
【００１９】
検知手段としてのシートセンサ１１は記録ヘッド１の下側に配置されており、記録ヘッド１へ搬送される記録シートＳの先端及び後端を検知するものである。このシートセンサ１１は前記搬送ローラ６と従動ローラ７ｃの圧接点よりもシート搬送方向上流側に配設されており、本実施例では前記センサとして反射型フォトセンサを用いている。
【００２０】
排出ローラ９の上方には、片面記録のなされた記録シートＳを一旦積保持する中間保持部材としての保持トレイ１２が配置されており、この保持トレイ１２は開閉可能な底板１３を有している。この保持トレイ１２は搬送ローラ６から排出された記録シートＳを下面（記録シートＳの末記録面）を受けるように傾斜して配置される。そして、この保持トレイ１２上に排出された記録シートＳは、その傾斜に沿って滑り落ち、下端が保持トレイ１２の底板１３に当接して保持される。また、この保持トレイ１２とは別に、記録ヘッド１の下方には両面記録を終了した記録シートＳを積載保持する受け部材としての排出トレイ１４が配置されている。
【００２１】
なお、保持トレイ１２の下方には、ガイド板１５、１６を配置し、これらガイド板１５、１６により、底板１３が開いた際、保持トレイ１２から落下する記録シートＳを再び搬送ローラ６へ導く搬送路が形成されている。また、排出トレイ１４上にも、ガイド板１７が配置されている。
【００２２】
前記底板１３を開閉する開閉機構１８は、図２に示すように、電気的にＯＮ／ＯＦＦするソレノイド１８ａと、前記底板１３とソレノイド１８ａとを連結するレバー１８ｂ、前記底板１３を閉方向に引っ張るバネ１８ｃとにより構成されている。従って、前記ソレノイド１８ａがＯＦＦ状態にあるときはバネ１８ｃの力により前記底板１３は閉じているが、前記ソレノイド１８ａがＯＮすると、レバー１８ｂが前記バネ１８ｃの力に抗して引き下げられて前記底板１３が開く。そして、再び前記ソレノイド１８ａをＯＦＦすればバネ１８ｃの復元力により前記底板１３が閉じる。
【００２３】
次に本例の記録装置における制御系の構成を説明する。図３に制御系の構成をブロック図により示した。制御系はマイクロプロセッサ形態のＣＰＵ１９を有し、本例での記録装置の制御手段として機能する。ＣＰＵ１９は、後述するＲＯＭ２０，ＲＡＭ２１等からプログラムや各種データを読み出し、必要な演算や判断を行ない、制御プログラムに従って各種制御信号を出力して装置全体の駆動制御を行なう。ＲＯＭ２０はプログラムメモリであって、前記ＣＰＵ１９が動作するための各種プログラムや各種データ等を格納している。ＲＡＭ２１はバッファメモリであって、前記ＣＰＵ２１が命令中のデータや演算結果を一時貯えておくワーキングエリア、各種データを保存しておくテキストエリア等からなっている。このＣＰＵ１９には、前記ＣＰＵ２１からの指示信号をもとに計時を行い、時間情報の出力を行うタイマー２２がデータバスを介して接続されている。
【００２４】
前記ＣＰＵ１９はインターフェース２３を介してホストコンピュータ２４に電気的に接続されており、前記ＲＯＭ２０や前記ＲＡＭ２１に格納されたホストコンピュータ２４からの記録データに基づき記録動作を制御する。ここでホストコンピュータ２４にはコンピュータ上で作成や編集等された記録情報を受信しインターフェース２３を介して記録装置側へ渡すためのプリンタドライバ３１が備えられている。ここでプリンタドライバ３１においては、記録装置の記録に係る様々な情報の設定や選択等が可能に設けられており、これら設定や選択された情報も記録装置側へ渡される様になっている。
【００２５】
記録に係る様々な情報の一例としては、記録を行なうシート等の記録媒体の種類の設定や、片面記録モードか両面記録モードかの選択等がある。また本例の場合、プリンタドライバ３１は後述する両面記録に際しての記録データの変換手段や該変換手段により変換を行なうデータを検出する検出手段として機能している。また前記ＣＰＵ１９はモータドライバー２５，２７を介してキャリッジ（図中ではＣＲと称した。）モータ２６及び搬送（図中ではＬＦと称した。）モータ２８を制御すると共に、前記ＲＡＭ２１に格納された記録情報に基づきヘッドドライバー２９を介して記録ヘッド１を制御する。なお、記録モード等の記録状態を設定する操作パネル３０と、前述したように記録シートの先端及び後端を検知するシートセンサ１１がデータバスを介してＣＰＵ１９に接続されている。
【００２６】
前記バッファメモリとしてのＲＡＭ２１は１走査分或いは複数走査分の記録データを格納するようになっている。このラインバッファは、記録ヘッドの主走査一回で記録領域のどの位置に記録ヘッドのオリフィスで記録を行なうかの情報を格納するバッファである。図４及び図５にＲＡＭ２１に設けられたバッファに記録データが格納される様子の一例を示す。
【００２７】
バッファの構成は、記録装置が使用可能な記録シートの最大記録幅を所定のドットピッチで表現するのに必要なＭ列で、記録ヘッドのオリフィスの数に対応した行である。そして、ホストコンピュータから送られ、展開された記録データは、記録シートの表面側に記録するときは図４に示すようにバッファの第１段第１列のドット（黒く塗り潰したドット）情報から格納されていき、裏面側に記録するときは図５に示すようにバッファの第Ｈ段第Ｍ列のドット（黒く塗る潰したドット）情報から格納されていく。ここで裏面側への記録データの格納に際しては、格納する順番は図４に示した表面側への場合と同じとしておき、図３に示したプリンタドライバ３１から記録装置側へ渡される記録データの順番を反転させる構成としてもよい。なお、図４に図示されるドットは、記録シートに展開、記録されるドットを模式的に表したものであって、必ずしも１つのドットが１つの記録データとして取り扱われるわけではない。
【００２８】
次に、このように構成された制御系に基づいて本例のインクジェット記録装置の両面記録モード時の動作について説明する。ここで記録装置において記録のためラインバッファ（ＲＡＭ２１）に格納される記録データは前記プリンタドライバ３１において両面記録のために本例に係る所定の処理を行なった後にインターフェース２３を介して渡される格納される構成となっており、この本例に係る所定の処理については後に詳しく説明する。
【００２９】
図６は両面記録モード時の動作の流れを示すフローチャート、図７は記録動作の流れを示すフローチャート、図８乃至図１５は記録シートの搬送状態を示す記録装置の模式的断面図である。
【００３０】
図６において、先ずホストコンピュータ２０から記録の開始命令を受け取ると、ＬＦモータ２８が正転駆動して給送ローラ４を回転させ、図８に示すように給送スタッカ５上の記録シートＳをピックアップして一枚ずつ分離給送する。さらに前記記録シートＳを搬送ローラ６及び従動ローラ７ｃにより記録位置に搬送しセットする（Ｓ２０１）。なお、以下、表面側記録時の搬送方向先端を記録シートＳの上端とし、搬送方向後端を記録シートＳの下端という。
【００３１】
次にインターフェース２３を介して渡された受信データを記録データとして展開した後、前述したラインバッファに格納する（Ｓ２０２）。その後Ｓ２０３において、図７に示す記録動作を実施する。先ず、ＣＲモータ２６を正逆転駆動して記録ヘッド１を搭載したキャリッジ２の主走査を開始し（Ｓ３０１）、前記記録ヘッド１によりラインバッファ上の記録データを第１列から記録シートＳに記録する（Ｓ３０２）。このときＣＰＵ１９は記録データに基づいて記録ヘッド１のドライバー２９を駆動制御し記録データに基づいて記録ヘッド１よりインクを吐出する記録を実施する。ヘッド第Ｍ列のラインバッファのデータを記録し終わると（Ｓ３０３）、記録シートＳを副走査方向へ所定量Ｌｎだけ搬送する（Ｓ３０４）。次にキャリッジ２を主走査開始の位置まで戻す（Ｓ３０５）。
【００３２】
その後前記Ｓ２０２，Ｓ２０３の処理を図９に示すように記録シートＳの後端がシートセンサ１１によって検知されるまで繰り返す。途中、ホストコンピュータ２４からの排出コマンドがあった場合はＳ２１２に移り、シートの排出を実施する（Ｓ２０４）。前記シートセンサ１１によって記録シートＳの後端が検知されてから（Ｓ２０５）、副走査方向へのシート搬送量Ｌが予め設定された所定量Ｌ２を越えるまで、Ｓ２０２、Ｓ２０３と同様な処理を繰り返す（Ｓ２０８、Ｓ２０９）。そして、前記搬送量Ｌが所定量Ｌ２と同じか又は越えた場合はＳ２１２に移る（Ｓ２０７）。
【００３３】
表面側に記録された記録シートＳを図１０に示すように保持トレイ１２に一旦排出する（Ｓ２１２）。次に、ＬＦモータ２８を逆転駆動して搬送ローラ６を通常の回転方向とは逆方向に回転させながら、前述した開閉機構１８のソレノイド１８ａをＯＮして保持トレイ１２の底板１３を開ける（Ｓ２１３）。前記底板１３が開くと図１１に示すように先程排出された記録シートＳがガイド板１５、１６により形成されたパスに落ち込み、その下端が搬送ローラ６と従動ローラ７ａの圧接点まで到達する。この時、前記搬送ローラ６は逆回転しているため、記録シートＳの下端は搬送ローラ６と従動ローラ７ａの圧接点で規制されて、主走査方向と平行となるように、すなわち、記録シートＳが傾くことなく位置決めされる。ここで保持トレイ１２から斜行することなくシートを搬送する方法については特に限定されるものではなく、例えば、保持トレイ１２にシートの幅方向の両側側端部の位置決めを行なうガイド部材等を更に設け、このガイド部材に沿ってシートＳを落とし込むように構成することも考えられる。
【００３４】
次に、前記ＬＦモータ２８を正転駆動して搬送ローラ６を正転させ、図１２に示すごとく表面側に記録のなされた記録シートＳを搬送する（Ｓ２１４）。ここで、記録シートＳの搬送方向先端（記録シートＳの下端）がシートセンサ１１によって検知されると（Ｓ２１５）、その後端（記録シートＳの上端）が検知されるまで前記搬送ローラ６の駆動パルス数をカウントし、記録シートＳの副走査方向の全長さＬａを計算する（Ｓ２１６〜Ｓ２１８）。この記録シートの長さＬａの計算が終了した後、ホストコンピュータ２４からの受信データがない場合はＳ２２７に移る（Ｓ２１９）。
【００３５】
前記受信データがある場合は、ＬＦモータ２８を正転駆動して搬送ローラ６を正転させ、記録シートＳを予め設定された所定量Ｌｓだけ搬送し、図１２に示すように裏面側の記録開始位置にセットする（Ｓ２２０）。なお、前記所定量Ｌｓは搬送ローラ６と従動ローラ７ｃの圧接点とシートセンサ１１との距離よりは短い距離である。
【００３６】
次に、受信データを記録データとして展開した後、図５に示すように記録に使用するオリフィスの位置を表面記録の際とは反転させてラインバッファのＭ列Ｈ段目を起点としてセットする（Ｓ２２２）。すなわち、図５に示すようにＨ段Ｍ列目のデータを第１オリフィスの第１ドット情報とし、以下順次、Ｈ−１段Ｍ列目のデータを第２オリフィスの第１ドット情報、Ｈ−２段Ｍ列目のデータを第３のオリフィスの第１ドット情報、…として段方向、列方向ともに反転させてセットする。そして、図１４に示すように、ＬＦモータ２８を逆転駆動して搬送ローラ６を逆転させて記録シートＳ上端を搬送方向先端として記録シートＳを搬送する。すなわち、記録シートＳの副走査方向への所定搬送量Ｌｎは通常の搬送方向とは逆の方向に行ない、記録ヘッド１を前述した表面側の記録動作と同様に行なう（図７参照）。Ｓ２２２〜Ｓ２２５の作業は、副走査方向への搬送量Ｇと予め設定された先端余白Ｌｓ及び後端余白Ｌｕの合計が先に計算した記録シートＳの長さＬａを越えるまで繰り返す。
【００３７】
前記搬送量Ｇと予め設定された先端余白Ｌｓ及び後端余白Ｌｕの合計が、先に計算した記録シートの長さＬａと同じか又は越えた場合は（Ｓ２２６）、図１４に示すように、ＬＦモータ２８を逆転駆動して搬送ローラ６を逆転させ、図１５に示すように表裏面に記録のなされた記録シートＳを排出トレイ１４上に排出する（Ｓ２２７）。次いで、前記開閉機構１８のソレノイド１８ａをＯＦＦして保持トレイ１２の底板１３を閉じる（Ｓ２２８）。そして、受信データがまだ存在する場合はＳ２０１に戻り、以下同様にＳ２２９までルーチンを繰り返す。
【００３８】
なお、通常の記録モード（片面記録モード）の場合は、前記保持トレイ１２の底板１３は閉じたまま（図１０に示す状態）で使用され、保持トレイ１２に排出した状態で一連の記録動作を終了する。またここで表面側の記録が終了したのち、記録シートＳの下端を排出ローラ９及び搬送ローラ６を反転させて、記録シートＳを排出トレイ１４へ送り一連の記録動作を終了しても構わない。
【００３９】
次に、本例にかかる両面記録に際して、ホストコンピュータ等において編集、作成された記録データを記録装置側へ渡す際の処理について図を参照して説明する。
【００４０】
図１６にその処理の一例を示した。本例ではこの処理はプリンタドライバ３１にて行なわれるとともに、ホストコンピュータにおいて編集、作成された記録データは記録データと該データの各種属性情報とともにプリンタドライバ３１へ渡される。ここで属性情報の内容としては記録データにより形成される、例えばテキストや画像等のオブジェクトの種類に関する情報、記録データにより形成されるオブジェクトの位置情報、オブジェクトの色情報などがある。
【００４１】
所望される記録が両面記録が片面記録かの指示に応じて本処理が実施され、片面記録の場合にはホストコンピュータより記録データを受信し（Ｓ４０７）、記録データを一時的に格納する（Ｓ４０８）。この動作を記録する全記録データについて繰り返し実施し処理を終了する（Ｓ４０９）。
【００４２】
所望される記録が両面記録である場合には記録情報の受信（Ｓ４０２）の後、記録情報に含まれる記録データの属性情報を解析する（Ｓ４０３）。属性情報の解析により記録データにより形成されるオブジェクトの種類を取得する（Ｓ４０４）。次に取得されたオブジェクトの種類がテキスト（文字）情報かどうかを判別（Ｓ４０５）し、テキストであった場合にはそのまま記録データを一時的に格納する（Ｓ４０８）。ステップＳ４０５にてオブジェクトの種類がテキストでなかった場合には記録データの変換処理を実施する（Ｓ４０６）。ここでは記録データの変換処理の一例として、受信された記録データを約半分に間引いて変換後の記録データとしており、この様子を模式的に図１７に示した。その後変換処理の後変換後のデータを記録する記録データとしての一時的に格納する（Ｓ４０８）。これらの処理を全ての記録データについて繰り返し実施し、一連の処理を終了する。この後、プリンタドライバ３１はステップＳ４０８にて一時的に格納した記録データを記録の開始命令と共に記録装置側へインターフェース２３を介して転送し、記録装置における記録動作が開始される。ここで、変換された記録データは変換の都度一時的に格納される構成としたが、格納せずに変換が終了した毎に記録装置側へ転送する構成でも構わない。
【００４３】
さらに記録データのオブジェクトの種類がテキストでなかった場合に、記録データからデータのｄｕｔｙ（デューティー）を算出して、該ｄｕｔｙに応じて記録データの変換を行なうことも考えられる。この様子を図１８に示す。
【００４４】
図１８においてステップＳ５０５にてオブジェクトの種類がテキストでなかった場合に、例えばオブジェクト内等の所定領域内の平均的な記録ｄｕｔｙを算出する（Ｓ５０６）。ここで記録ｄｕｔｙとは例えばシートＳ上の所定領域内に形成されるドット数の比率を示している。次に算出されたｄｕｔｙが所定のｄｕｔｙ以上の場合には図１７に示した様な間引き処理を実施し、所定のｄｕｔｙに満たない場合には間引き処理を実施しない等して、算出されたｄｕｔｙに応じて変換処理を実施する（Ｓ５０７）。その後の処理は、先の図１６の場合と同様にして処理を終了し、変換された記録データを記録装置側へ転送する。ステップＳ５０７においては、算出されたｄｕｔｙに応じて間引く比率を変え結果として例えば約５０％となるように構成してもよい。ここで間引く比率は変換後の記録データによって両面記録が行なわれた場合に記録品位の低下を招かない比率であればよく、例えば両面記録を行なうシートＳの種類などによって変化させることも好適である。この場合シートＳの種類等はホストコンピュータ上から指定して記録情報としてプリンタドライバ３１に渡される構成とし、該プリンタドライバ３１はこの情報より記録データの変換に際しての間引き率を可変にすればよい。
【００４５】
さらにこれまでの説明では記録データの変換方法の一例として間引き処理を挙げて説明したが、記録ヘッドより吐出されるインク滴の大きさを小さくする記録データとして変換する事も考えられる。
【００４６】
このように、記録データがテキストでない場合、例えば記録デューティーの高いグラフィックデータの場合は、記録データを間引くように構成することで、片面の記録結果が他方の面ににじむことを防止できるため、シートＳにおける記録品位を低下を防ぎながら両面記録を行なうことができる。また、記録データがテキストの場合には一般には記録デューティーが低いためにじみの問題は発生せず、変換処理を行なわないため情報の伝達が正確に行われるという効果もある。
【００４７】
（実施例２）
次に、記録データを記録装置側へ渡すまでの他の処理について説明する。ここでは、記録データのオブジェクトの種類ではなく、記録データの位置情報に基づいて両面記録のために変換するデータを検出する方法について説明する。その様子を図１９に示す。
【００４８】
図１９において、所望される記録が両面記録である場合には記録情報の受信（Ｓ６０２）の後、記録情報に含まれる記録データの属性情報を先の場合と同様に解析する（Ｓ６０３）。属性情報の解析により記録データにより形成されるオブジェクトの位置情報を取得（Ｓ６０４）し、記録データと共に取得した位置情報を格納する。ここまでの動作をシートＳの両面に記録をする記録データ全てに実施する（Ｓ６０６）。
【００４９】
次に、取得されたオブジェクトの位置情報よりシートＳの両面において重なる位置となる記録データを検出し（６０７）、検出された記録データについて両面記録のための変換処理を先の例と同様に行なう（Ｓ６０８）。ここでは、両面の記録データに対して間引き処理を行なったが、いずれか一方の面の記録データに対してのみ間引き処理を行なってもよい。変換処理された記録データを一旦格納すると共に、ステップＳ６０７にて検出された記録データ全てについて変換処理を実施して処理を終了する。
【００５０】
ステップＳ６０４において、記録データの位置情報に加えて、さらに色に関する情報をも取得しておき、位置情報と色情報に応じて記録データを変換することも考えられる。この様子を図２０に示す。
【００５１】
図２０において、ステップＳ７０１からステップ７０３についてはこれまでと同様である。ステップＳ７０４において記録データの位置情報とともに色情報を取得する。取得した位置情報と色情報とを先の場合と同様にシートＳの両面に記録する記録データについて実施する（Ｓ７０５、Ｓ７０６）。
【００５２】
次に、記録データの位置情報よりシートＳの両面において重なる記録データを検出（Ｓ７０７）し、検出された各記録データについてその色情報の比較を実施する。すなわちシートＳの両面において重なりを有する記録データの内、片面に記録されるデータの色情報と他方の面に記録されるデータの色情報とを比較する（Ｓ７０８）。次に、色情報を比較した結果に基づいて両面記録のための記録データの変換処理をするか否かの判断を行ない（Ｓ７０９）、変換処理を行なう場合にはＳ７１１へ移行し変換処理を実施する。ここで、ステップＳ７０９での判断は、例えば互いの記録データの色調が近い場合には変換処理を実施しないものとし、色調が大きく異なる場合には変換処理を実施するものとしている。変換処理後についてはこれまでの例と同様であり、記録される記録データ全てについて変換処理の必要性の判断と変換処理が実施された後両面記録のためのデータの変換処理を終了する。
【００５３】
なお、これらの処理を行なうにあっては、記録装置はカラー記録可能な記録ヘッドを有し、カラー記録を行なう構成としている。ステップＳ７０９での変換処理をするか否かの判断や記録データの変換処理Ｓ７１０については、様々な工夫が考えられる。例えば、色調の異なりを算出してその算出値に応じて間引き率を可変に設ける事も考えられる。色調の異なりが所定以上の大きさの場合には間引き率を５０％以上とし、色調の異なりが所定未満の大きさの場合には間引き率を１０％とする様に構成する事も好適である。また本例では、変換処理の実施の判断を記録データの色情報だけに基づいて実施したが、色情報に加えて所定領域内でのｄｕｔｙを考慮してもよい。例えば色調が大きく異なって、ｄｕｔｙが所定値以下の場合には間引き率を小さめに設定し、逆に色調の異なりが小さい場合であってもｄｕｔｙが所定値を超える場合は間引き率を大きめに設定する。さらに色情報とｄｕｔｙとに加えて、記録媒体であるシートＳの種類をも加える事もさらに好適である。
【００５４】
このように、記録データが両面において重なる場合に記録データを間引くように、さらには色情報や媒体情報も加味して間引くように構成することで、片面の記録結果が他方の面ににじむことを防止できるため、シートＳにおける記録品位を低下を防ぎながら両面記録を行なうことができる。また、両面記録の場合にシートＳ上の全ての記録データを変換せずに選択的に変換処理を行なうため、変換処理にともなう記録品位の低下を最小に抑えつつ良好な両面記録が行なえるという効果もある。
【００５５】
【発明の効果】
以上説明した様に、本発明によればにじみ等による記録品位の低下と記録データの変換処理による記録品位の低下を最小限に抑えてシート等の記録媒体の両面に記録を行なうことができる。
【図面の簡単な説明】
【図１】本発明の一実施例に係るインクジェット記録装置概略の概略構成を示した模式的断面図である。
【図２】本発明の一実施例に係る底板開閉機構の概略構造図である。
【図３】本発明の一実施例に係る記録装置の制御系を示したブロック図である。
【図４】本発明の一実施例に係る記録装置のバッファメモリを説明した説明図である。
【図５】本発明の一実施例に係る記録装置のバッファメモリを説明した別の説明図である。
【図６】本発明の一実施例に係る両面記録モード時の動作の流れを説明した説明図である。
【図７】本発明の一実施例に係る記録動作の流れを説明した説明図である。
【図８】本発明の一実施例に係る記録媒体の搬送状態を示した記録装置の模式的断面図である。
【図９】本発明の一実施例に係る記録媒体の搬送状態を示した記録装置の模式的断面図である。
【図１０】本発明の一実施例に係る記録媒体の搬送状態を示した記録装置の模式的断面図である。
【図１１】本発明の一実施例に係る記録媒体の搬送状態を示した記録装置の模式的断面図である。
【図１２】本発明の一実施例に係る記録媒体の搬送状態を示した記録装置の模式的断面図である。
【図１３】本発明の一実施例に係る記録媒体の搬送状態を示した記録装置の模式的断面図である。
【図１４】本発明の一実施例に係る記録媒体の搬送状態を示した記録装置の模式的断面図である。
【図１５】本発明の一実施例に係る記録媒体の搬送状態を示した記録装置の模式的断面図である。
【図１６】本発明の一実施例に係る両面記録モード時の記録データの処理の流れを説明した説明図である。
【図１７】本発明の一実施例に係る両面記録モード時の記録データの変換処理を模式的に示した説明図である。
【図１８】本発明の一実施例に係る両面記録モード時の別の記録データの処理の流れを説明した説明図である。
【図１９】本発明の別の実施例に係る両面記録モード時の記録データの処理の流れを説明した説明図である。
【図２０】本発明の別の実施例に係る両面記録モード時の別の記録データの処理の流れを説明した説明図である。
【図２１】本発明に係る両面記録時のインクの状態を説明する説明図である。
【符号の説明】
１  記録ヘッド
２  キャリッジ
３ａ  リードスクリュー
３ｂ  キャリッジ軸
４  給送ローラ
５  給送スタッカ
６  圧板
７ａ，７ｂ，７ｃ  従動ローラ
８  ペーパーガイド
９  排出ローラ
１０  従動ローラ
１０ａ  指示部材
１０ｂ  圧接バネ
１１  シートセンサ
１２  保持トレイ
１３  底板
１３ａ  ボス
１４  排出トレイ
１５，１６，１７  ガイド板
１８  開閉機構
１８ａ  ソレノイド
１８ｂ  レバー
１８ｃ  バネ
１９  ＣＰＵ
２０  ＲＯＭ
２１  ＲＡＭ
２２  タイマー
２３  インターフェイス
２４  ホストコンピュータ
２５  モータダライバ
２６  ＣＲモータ
２７  モータドライバ
２８  ＬＦモータ
２９  ヘッドドライバ
３０  操作パネル
３１  プリンタドライバ
【図１】
0004174103.tif 000002
【図２】
0004174103.tif 000003
【図３】
0004174103.tif 000004
【図４】
0004174103.tif 000005
【図５】
0004174103.tif 000006
【図６】
0004174103.tif 000007
【図７】
0004174103.tif 000008
【図８】
0004174103.tif 000009
【図９】
0004174103.tif 000010
【図１０】
0004174103.tif 000011
【図１１】
0004174103.tif 000012
【図１２】
0004174103.tif 000013
【図１３】
0004174103.tif 000014
【図１４】
0004174103.tif 000015
【図１５】
0004174103.tif 000016
【図１６】
0004174103.tif 000017
【図１７】
0004174103.tif 000018
【図１８】
0004174103.tif 000019
【図１９】
0004174103.tif 000020
【図２０】
0004174103.tif 000021
【図２１】
0004174103.tif 000022